(57)【要約】【課題】  端末機器は、インターネットを介して、サーバにアクセスし、サーバ上のコンテンツをブラウザソフト介して閲覧したり、サーバ上のソフトウエアを、ダウンロードしたりすることはできるが、端末買い替え事に、サーバにある端末の情報を、新規端末に安全に移す事はできなかった。【解決手段】  ＬＡＮ２９に接続された端末機器１Ｂを買い替える場合に、買い替え前の端末機器１Ｂのネットワークアドレスと買い替え後の端末機器１Ｂのネットワークアドレスを比較し、ネットワークアドレスが一致したことを条件に、買い替え前の端末機器１Ｂの設定情報を用いて、買い替え後の端末機器１Ｂを設定する。【選択図】  図１
2005107660.tif 000002
【特許請求の範囲】
【請求項１】
第一の装置のネットワークアドレスと第二の装置のネットワークアドレスを比較し、所定の一致が検出されたことを条件に、第一の装置の設定情報を用いて、第二の装置を設定することを特徴とする設定方法。
【請求項２】
請求項１において、所定のホストアドレスを有する第二の装置を、第一の装置の設定情報を用いて、設定することを特徴とする設定方法。
【請求項３】
請求項１において、第一の装置がネットワークに接続されていないことを条件に、第一の装置の設定情報を用いて、第二の装置を設定することを特徴とする設定方法。
【請求項４】
請求項１において、第一の装置の印刷補正情報を用いて、第二の装置を設定することを特徴とする設定方法。
【請求項５】
第一の装置のネットワークアドレスと第二の装置のネットワークアドレスを比較する比較手段と、所定の一致が検出されたことを条件に、第一の装置の設定情報を用いて、第二の装置を設定する設定手段とを有することを特徴とする設定装置。
【発明の詳細な説明】
【技術分野】
【０００１】
本発明は、設定方法及び装置に関するものである。
【背景技術】
【０００２】
近年、端末機器は、インターネットを介して、サーバにアクセスし、サーバ上のコンテンツをブラウザソフト介して閲覧したり、サーバ上のソフトウエアを、ダウンロードしたりしていた（例えば、特許文献１）。
【特許文献１】特開平１１−０６５８２８号公報
【発明の開示】
【発明が解決しようとする課題】
【０００３】
しかしながら、端末買い替え事に、サーバにある端末の情報を、新規端末に安全に移す事はできなかった。
【課題を解決するための手段】
【０００４】
本発明における設定方法は、第一の装置のネットワークアドレスと第二の装置のネットワークアドレスを比較し、所定の一致が検出されたことを条件に、第一の装置の設定情報を用いて、第二の装置を設定することを特徴とする。
【発明の効果】
【０００５】
本発明によれば、複雑なプログラムを端末に組み込む事なく、確実な設定処理を実現できる。
【発明を実施するための最良の形態】
【０００６】
以下、図面を参照して本発明の第一の実施形態について、詳細に説明する。
【０００７】
図１は、本発明を実施した全体システム構成図である。
【０００８】
図１において、５は、端末製造工場サイト、６は、端末サービス提供サイトであって、インターネットサービスプロバイダー（ＩＳＰ）をかねる。１６は、販売管理サイト、２９は、サブネットであるＬＡＮである。３１、３３は、ＬＡＮ２９と同様のサブネット、１００は、インターネットである。
【０００９】
図２は、図１示の端末サービス提供サイト６の構成図である。
【００１０】
端末サービス管理サーバ７は、以下に示すように、周知のコンピュータの構成を有する。
【００１１】
図２において、３０２は、端末サービス管理サーバ７全体を制御するＣＰＵであり、ＲＯＭ３０４に格納されている制御プログラムに基づいて演算処理を実行する事により、様々な機能を提供する。すなわち、ＣＰＵ３０２は、以下に説明するように、ＲＯＭ３０４に格納されている制御プログラムに基づいて、端末機器１の認証（アドレスの一致確認）、及び、端末装置１へのサービスの提供を行う。
【００１２】
３０６は、端末サービス管理サーバ７で各ユニットが必要とする信号の共通バスラインである。３０３はＲＡＭであり、ＣＰＵ３０２の主メモリとして、及び実行プログラムのワークエリアや一時待機領域として機能する。
【００１３】
３０４は、ＣＰＵ３０２の動作処理手順を記憶しているＲＯＭである。ＲＯＭ３０４は端末サービス管理サーバ７の機能制御を司るシステムプログラムや後述する処理フォローで表されるプログラムや、システムを稼動する為に必要なデータが記録されている。
【００１４】
３０５はネットワークインターフェースであり、サーバ７は、このインターフェース３０５により、端末サービス提供サイト６内のネットワークであるＬＡＮを介してインターネット１００へアクセスし、図１の各サイトのサーバとのデータ（情報）転送（送受信）等の通信処理を実行する。
【００１５】
３０７はビデオＲＡＭ、３１０はＣＲＴ３１０である。３０８は、外部入力装置３１１からの入力信号を制御するためのキーボードコントローラである。３１１は、操作を受け付ける為の外部入力装置であり、例えば、キーボードやポインティングデバイスである。３０９はディスクコントローラであり、ハードディスクやフロッピー（Ｒ）ディスクなどのリムーバブルディスク３１２の制御を行う。このリムーバブルディスク３１２には、端末別ＩＰｖ６ホストアドレスリスト８、顧客別サービスリスト９、顧客別ネットワークアドレスリスト１０顧客別端末サービスデータベース１４が、含まれる。２８は、ＳＵＢ−ＩＤデータベースであり、顧客毎のネットワークの識別ＩＤが格納されている。この識別ＩＤにより、個々の顧客のネットワークを特定する事ができる。
【００１６】
図３は、ＩＰｖ６対応端末機器１のハード構成図である。なおＩＰｖ６対応端末機器１は、端末製造工場サイト５に接続されているときには、ＩＰｖ６対応端末１Ａであり、ＬＡＮ２９に接続されているときにはＩＰｖ６対応端末１Ｂである。
【００１７】
図３において、２１６が端末機器１全体を制御するＣＰＵであり、ＲＯＭ２１８に格納されている制御プログラムに基づいて演算処理を実行する事により、様々な機能を提供する。２２０は、端末機器１で各ユニットが必要とする信号の共通バスラインである。２１７はＲＡＭであり、ＣＰＵ２１６の主メモリとして、及び実行プログラムのワークエリアや一時待機領域として機能する。
【００１８】
２１８は、ＣＰＵ２１６の動作処理手順を記憶しているＲＯＭである。ＲＯＭ２１８は端末機器１の機能制御を司るシステムプログラムや後述する処理フォローで表されるプログラムや、システムを稼動する為に必要なデータが記録されている。
【００１９】
２２１はネットワークインターフェースであり、端末機器１は、このインターフェースにより、ＩＰｖ６対応ルータ３４（ＬＡＮ２９）あるいはＩＰｖ６対応ルータ２（端末製造工場サイト５）を介して、インターネット１００へアクセスし、端末管理サービスサーバ７とのデータ転送等の通信処理を実行する。
【００２０】
２２２はビデオＲＡＭであり、２２５はＣＲＴである。２２３は、外部入力装置２２６からの入力信号を制御するためのキーボードコントローラである。２２６は、操作を受け付ける為の外部入力装置であり、例えば、キーボードやポインティングデバイスを示している。
【００２１】
ＩＰｖ６対応端末機器１Ａは、この端末を提供する端末機器メーカーの製造工場で生産される。端末製造工場サイト５は、この製造工場に設置され、インターネット１００に、製造過程の端末機器の各種情報を送受信する役割をもつ。ＩＰｖ６対応端末機器１Ａは製造ラインの組み立て工程、機能検査工程終了後、ＩＰｖ６ホストアドレス登録工程において、ＩＰｖ６対応ルータ２に接続され、ＩＰｖ６ホストアドレスを自動生成し、自動生成したホストアドレス及び製造時にＲＯＭ２１８に登録された端末機器ＩＤを、ＩＰｖ６対応ルータ２に通知する。３は端末製造管理サーバであり、通知された端末機器１ＡのＩＰｖ６ホストアドレスを端末機器ＩＤ及び端末属性情報と関連付けて端末機器属性テーブルとして端末機器属性データベース４に格納する。
【００２２】
また端末製造管理サーバ３は、端末機器属性テーブルのうち端末機器属性情報（ＩＰｖ６対応端末機器１Ａを識別するための機器ＩＤを含む）をＩＰｖ６パケットのベイロード部に格納し、端末１ＡのＩＰｖ６ホストアドレス部をＩＰｖ６ヘッダーの送信元アドレスにセットし、端末サービス提供サイト６に端末登録用ＩＰｖ６パケットとして送信する。
【００２３】
端末サービス提供サイト６は、これを受信し、受信した端末登録用ＩＰｖ６パケットの送信元アドレスからホストアドレスを抽出する。またベイロード部から端末属性情報を抽出し、端末別ＩＰｖ６ホストアドレスリスト８に格納する。このようにして出荷前段階において、ＩＰｖ６対応端末機器１のＩＰｖ６ホストアドレス、端末ＩＤ、端末属性情報が、端末サービス提供サイト６に通知登録される。
【００２４】
ＩＰｖ６ホストアドレスの登録が終了した段階で、ＩＰｖ６対応端末機器１Ａは出荷される。出荷されたＩＰｖ６対応端末機器１Ａは、端末機器メーカーの直営又は関連した端末機器販売店に納入され販売される。販売店には販売管理サイト１６があり、端末機器の販売実績、顧客情報等を、インターネット１００を介して端末サービス提供サイト６に通知する。１９はクライアント端末であり端末機器を顧客に販売した際に、端末情報、顧客情報、サービス契約内容の情報を入力する。これら入力された端末情報、顧客情報、サービス契約内容は、端末販売管理サーバ３６に送られ、端末情報、顧客情報、サービス契約内容は関連付けられたテーブルとして、顧客別端末データベース１７に格納され、そのテーブル情報を、端末販売管理サーバ３６から端末サービス提供サイト６にインターネット１００を介して通知する。
【００２５】
端末サービス提供サイト６は、受信した顧客別端末販売テーブルの顧客別端末販売情報からまず端末ＩＤと販売契約時の内容にそった利用顧客が使用できる許諾サービス及び許諾アプリケーションを関連付けて獲得し、顧客別端末サービスデータベース１４に登録する。
【００２６】
また、端末サービス管理サーバ７は、ＩＰｖ６対応端末機器１の各種パラメータ設定データ及びバックアップデータ等の管理を行う。端末サービス管理サーバ７は、端末機器買い替え時に、旧端末の状態、情報を、新端末に同一条件で設定する為のリプレス作業を実行する。ＩＰｖ６対応端末機器１が、ＩＰｖ６対応複合機である場合には、機器１の各種パラメータ設定データには、カラー印刷グレードを決定するカラープロファイルであるユーザカラー設定も含まれる。
【００２７】
また、端末サービス管理サーバ７は、ＩＳＰの役割も持ち、ＩＰｖ６対応端末機器１のインターネット接続サービスを行う。
【００２８】
２５はゲートウエイサーバであり、インターネット１００の接続を管理、監視する機能を有する。２６は、ルータであり、顧客のネットワークに接続さらた端末からの要求に応じて、宛先にＩＰパケットを転送するルーティング機能を有する。ルータ２６には、複数の顧客毎のネットワーク（サブネット）が接続されている。ＬＡＮ２９、ＬＡＮ３１、ＬＡＮ３３というように、顧客はそれぞれ、小規模なサブネットを構成し、このサブネットに接続された端末機器から送信されるＩＰパケットは、ルータ２６に転送され、ゲートウエイサーバ２５からインターネット１００に送り出される。
【００２９】
販売店から顧客に販売されたＩＰｖ６対応端末機器１Ｂは、その顧客が使用しているＬＡＮ２９に接続されると、まずＩＰｖ６対応端末機器１Ｂのネットワークインターフェース２２１に付けられているＭＡＣアドレスをもとにＩＰｖ６ホストアドレスを生成する。
【００３０】
ＩＰｖ６対応ルータ３４は、ＩＰｖ６対応端末機器１ＢからＩＰｖ６ホストアドレスを受け取り、ＬＡＮ２９内にある他のＩＰｖ６対応端末機器３５のホストアドレスと同一のものがない事を確認して、ＬＡＮ２９のネットワークアドレスをＩＰｖ６対応端末機器１Ｂに通知する。ＩＰｖ６対応端末機器１Ｂは、これを所得する事で、グローバルＩＰアドレスが決定する。グローバルＩＰアドレスが決定した段階で、ＩＰｖ６対応端末機器１Ｂは、初期設定モードとなり、端末サービス管理サーバ７にアクセスする。
【００３１】
これを受けた端末サービス管理サーバ７は、送信元アドレスのホストアドレスから、ＩＰｖ６対応端末機器１Ｂを認識し、そのネットワークアドレスを顧客別端末サービスデータベース１４に登録する事で、以後、ＩＰｖ６対応端末機器１へのサービスを行う。
【００３２】
次にＩＰｖ６プロトコルにおけるＩＰアドレスの構成について説明する。ＩＰｖ６アドレスは、１２８ｂｉｔの２進数で構成された識別ＩＤをもつ。
【００３３】
１２８Ｂｉｔ中、前６４ｂｉｔがネットワークアドレス部である。ネットワークアドレスはプレフィックスといわれる。このネットワークアドレスは、ＩＰｖ６対応端末機器が接続されたネットワークを識別するアドレスであり、ネットワークのリンク内（データリンク層で通信可能な範囲）にあるルータ（例えば、ルータ３４、２）から通知され、これを獲得する。
【００３４】
１２８Ｂｉｔ中、後６４ｂｉｔがホストアドレスである。ホストアドレスは別名インターフェースＩＤといわれる。
【００３５】
［ホストアドレス登録プロトコル］
図４は、端末製造工場サイトから端末サービス管理サイトへのホストアドレス部の登録手順を示すプロトコル図である。
【００３６】
端末製造工場内にある端末製造工場サイト５が管理する検査工程内に設置されたＩＰｖ６対応ルータ２にＩＰｖ６対応端末機器１Ａが接続されると、Ｓ５において、まずＩＰｖ６対応端末機器１Ａが、それ自身のネットワークインターフェースハードウエア３０５に割り振られているＭＡＣアドレスを抽出する。このＭＡＣアドレスから、ＩＰｖ６ホストアドレス自動生成処理により、端末機器を識別するＩＰｖ６ホストアドレスを生成する。ホストアドレスが生成されたＩＰｖ６対応端末機器１Ａは、Ｓ７においてネットワーク部にリンクローカルアドレスを示すネットワークＩＤである「ｆｅ８０：：」を設定し、リンクローカルアドレスを自動生成する。Ｓ８のＲＳ（Ｒｏｕｔｅｒ  Ｓｏｌｉｃｉｔａｔｉｏｎ）送信においてＩＰｖ６対応端末機器１Ａは、同一リンク内に存在するＩＰｖ６対応ルータ２に向けてネットワークアドレスの問い合わせを行う。これを受けたＩＰｖ６対応ルータ２はＳ９のＲＡ（Ｒｏｕｔｅｒ  Ａｄｖｅｒｔｉｓｅｍｅｎｔ）送信にてＩＰｖ６対応端末機器１に送信し、そのネットワークの識別子であるネットワークアドレスを通知する。
【００３７】
ＩＰｖ６対応端末機器１Ａでは、この通知されたネットワークアドレスと先に自動生成したホストアドレスより、Ｓ１０にてＩＰｖ６対応機器１ＡのグローバルＩＰアドレス（ユニキャストアドレス）が決定され、ＩＰｖ６対応ルータ２に通知される。ＩＰｖ６対応ルータ２は、これを受け、Ｓ１１のアドレス重複検出において、同じリンク内に、同一識別ＩＤをもったＩＰｖ６グローバルＩＰアドレスを所有する他のＩＰｖ６対応端末機器が存在しない事を確認し、ＩＰｖ６対応端末機器１Ａに使用許諾の承認通知を送る。
【００３８】
使用許諾通知をうけたＩＰｖ６対応端末機器１Ａは、ＩＰｖ６対応端末機器１のグローバルＩＰアドレスを決定し、Ｓ１２において端末製造管理サーバ３に、端末機器ＩＤをベイロード部に格納した登録用ＩＰパケットを送信して、端末機器ＩＤとグローバルＩＰアドレスを通知する。これを受けた端末管理サーバ３は、Ｓ１３において端末機器属性データベース４に対して端末ＩＤを送信し、登録用ＩＰパケットを送信してきた端末機器１Ａの製造段階における属性情報を要求する。端末機器属性データベース４はＳ１４の端末情報検索において、端末ＩＤから、その端末機器の属性情報を抽出して端末管理サーバ３に返答する。
【００３９】
これをうけた端末管理サーバ３は、端末ＩＤと端末属性情報をベイロード部に格納し、ＩＰヘッダーの送信元アドレスに、ＩＰｖ６対応端末機器１ＡのグローバルＩＰアドレスがセットされた端末登録用ＩＰｖ６パケットを、端末サービス管理サーバ７に送信する。
【００４０】
なお、上記の説明では、端末機器１Ａのホストアドレス及び識別ＩＤを、端末製造管理サーバ３が端末サービス管理サーバ７に送信したが、端末機器１Ａが、端末サービス管理サーバ７に送信するようにしてもよい。この場合、端末機器１ＡのＲＯＭ２１８には、端末機器１Ａの識別ＩＤ、端末サービス管理サーバ７のアドレスなど、必要な情報を書き込んでおき、端末機器１Ａが、必要な情報を、ＲＯＭ２１８から読み出して、端末サービス管理サーバ７に送信する。
【００４１】
図５は、端末登録用ＩＰパケットにて端末サービス管理サーバ７の端末別ホストアドレスリスト８に登録される端末機器属性テーブルの内容である。１００は端末製造メーカーが、その端末機器を識別する為の識別ＩＤであり、１０１は、その端末機器のＭＡＣアドレスから自動生成されるＩＰｖ６ホストアドレスである。これに関連した端末機器属性情報１０７には、その端末機器の機種１０２、型番１０３、製造年月日１０４、及び初期設定パラメータ１０５及びその端末が利用可能なアプリケーションサービスリスト１０６等がある。端末機器属性テーブルを受け取った端末サービス管理サーバ７は、その内容を端末別ＩＰｖ６ホストアドレスリスト８に登録する。
【００４２】
［顧客別端末サービス登録プロトコル］
図６は、端末販売管理サーバ３６から端末サービ管理サイト６への顧客別端末サービス登録プロトコルである。
【００４３】
販売店は、Ｓ１６において、顧客にＩＰｖ６対応端末製品１を販売した段階でクライアント端末１９から販売情報にもとづいて顧客別端末販売実績テーブルを作成し、端末販売管理サーバ３６に通知し、顧客別端末データベース１７に登録する。
【００４４】
図７が顧客別端末販売実績テーブルである。１０８は販売端末名で端末機器に機種名がこれにあたる。１０９は端末ＩＤで端末製造メーカーが個々の端末機器を識別する為の識別子である。１１０は端末機器を購入した顧客の所属企業、団体名であり、１１２は顧客住所、１１３は顧客のＥｍａｉｌアドレス、１１４は端末機器が設定されるネットワークのドメイン名である。所属企業、団体名１１０、ドメイン名１１４は、顧客情報であり、ネットワークアドレス検索に使用できる。１１５は、端末機器を販売した販売日時である。１１６は端末販売時に、顧客と契約した許諾サービスリスト、１１７は顧客と契約した許諾アプリケーションリストである。１１８はリプレス端末機器ＩＤ、１１９はリプレス要求ＩＤである。
【００４５】
Ｓ１７において、顧客別端末データベース１７に登録された顧客別端末販売実績テーブルはインターネット１００を介して送信され、Ｓ２０において、端末サービス管理サイト６の顧客別端末サービスリスト９に登録される。これを受けた端末サービス管理サーバ７は、先に端末製造管理サーバ３から送信され端末別ＩＰｖ６ホストアドレスリスト９に登録されている対応する端末機器のＩＰｖ６ホストアドレスがあるかの問い合わせを行う。Ｓ２４において、端末ＩＤと関連したホストアドレスが登録されていた場合、Ｓ２５において、ＩＰｖ６ホストアドレスをリスト８から獲得する。Ｓ２２において、端末ＩＤをキーワードにＩＰｖ６ホストアドレスと、この端末ＩＤを所有する端末機器に販売時に許諾されたサービスを関連付けた顧客別端末サービス属性テーブルを作成し、Ｓ２３において作成された顧客別端末サービス属性テーブルを顧客別端末サービスデータベース１４に登録する。
【００４６】
図８は、顧客別端末サービス属性テーブルの構成を示す図面である。顧客別端末サービス属性テーブルは、顧客別端末サービスデータベース１４に登録される。
【００４７】
２０１は端末製造メーカーが製造した端末で買い替え前の端末を識別するＩＤであり、カレント端末ＩＤと称す。端末ＩＤは、端末機器製造時（出荷前）は端末製造管理サーバ３から端末サービス管理サイト６に通知され、端末機器販売時（出荷後）は端末販売管理サーバ３６から端末サービス管理サイト６に通知される。双方から通知される端末ＩＤ２０１は同一のものである。
【００４８】
２０２はカレント端末ＩＤを持つ端末機器のＩＰｖ６ホストアドレスであり、カレントホストアドレス部と称し、端末別ＩＰｖ６ホストアドレスリスト８から抽出される。２０３はＩＰｖ６ネットワークアドレスであり、端末自身から通知されるか、顧客情報から特定される。２０５は顧客のＥｍａｉｌアドレス、２０６はサービス有効期間、２０７は許諾サービス（顧客が端末機器購入時に契約した利用可能なサービス内容）、２０８は許諾アプリケーション（顧客が端末機器購入時に契約した利用可能なアプリケーションソフトウエアの内容）である。２０９は、端末を新しく購入した場合、すなわち買い替えの端末ＩＤで、リプレス端末ＩＤと称す。２１０は、リプレス端末ＩＤのホストアドレスで、リプレスホストアドレス部と称す。２１１は、リプレス要求ＩＤで、顧客がユーザネットワークでリプレス要求を実行する時に入力するＩＤである。
【００４９】
［リプレスサービス登録プロトコル］
図９は、販売管理サイトからのリプレス時の顧客別端末サービス情報登録プロトコルである。
【００５０】
販売店では、ユーザが買い替え前の端末（以後、カレント端末と称す）１ＢＡと買い替え後の端末（以後、リプレス端末と称す）１ＢＢのインターネット１００でのリプレスの希望した場合、リプレスジョブを端末サービス管理サーバ７に登録する。Ｓ５０において、カレント端末ＩＤを入力し、Ｓ５１でリプレス端末ＩＤを入力し、Ｓ１６で、リプレス情報を入力する。この情報（カレント端末ＩＤ及びリプレス端末ＩＤを含む）は顧客別端末データベース１７に登録され、Ｓ１７でインターネット１００を介して端末サービス管理サーバ７に送信され、Ｓ２０で、端末サービス管理サイト６の顧客別端末サービスリスト９に登録される。
【００５１】
これを受けた端末サービス管理サーバ７は、Ｓ２１で、先に端末製造管理サーバ３から送信され端末別ＩＰｖ６ホストアドレスリスト８に登録されている対応する端末機器１ＢＢのＩＰｖ６ホストアドレスがあるかの問い合わせを行う。Ｓ２４において、端末ＩＤと関連したホストアドレスが登録されていた場合、Ｓ２５において、ＩＰｖ６ホストアドレスをリスト８から獲得する。Ｓ２２においてリプレスジョブとアドレス（カレント端末１ＢＡのアドレス）の関連付けを行い、Ｓ２３において、リプレス要求ＩＤを生成し、リプレス情報を顧客別端末サービスデータベース１４に登録し（カレント端末機器ＩＤ２０１に対応して、リプレス端末機器ＩＤ２０９、リプレスホストアドレス部２１０、リプレス要求ＩＤ２１１を登録し）、リプレス要求ＩＤ２１１を、端末販売管理サーバ３６にリプレスサービスの登録終了を通知する。
【００５２】
Ｓ６０で、端末販売管理サーバ３６は、これを確認し、リプレスサービス登録を終了する。Ｓ２４でアドレス（リプレス端末１ＢＢのアドレス）がなかった場合は、Ｓ１８でアドレス未登録通知を受け、Ｓ１９でリプレスを希望する端末を交換し、Ｓ５１のリプレス登録処理に戻る。
【００５３】
［顧客サイトでのグローバルＩＰアドレス獲得プロトコル］
顧客が使用するＬＡＮ２９に設置されたＩＰｖ６対応ルータ３４にＩＰｖ６対応端末機器１Ｂが接続されると、図４のＳ５からＳ１１と同様に、ＭＡＣアドレスから、ＩＰｖ６ホストアドレス自動生成処理により、端末機器を識別するＩＰｖ６ホストアドレスを生成する。ホストアドレスが生成されたＩＰｖ６対応端末機器１Ｂは、リンクローカルアドレスを自動生成し、同一リンク内に存在するＩＰｖ６対応ルータ３４に向けてネットワークアドレスの問い合わせを行う。これを受けたＩＰｖ６対応ルータ３４は、ＩＰｖ６対応端末機器１Ｂに、ネットワークアドレスを通知する。この通知されたネットワークアドレスと先に自動生成したホストアドレスより、ＩＰｖ６対応機器１ＢのグローバルＩＰアドレス（ユニキャストアドレス）が決定され、ＩＰｖ６対応ルータ３４に通知される。ＩＰｖ６対応ルータ３４は、これを受け、同じリンク内に、同一識別ＩＤをもったＩＰｖ６グローバルＩＰアドレスを所有する他のＩＰｖ６対応端末機器が存在しない事を確認し、ＩＰｖ６対応端末機器１Ｂに使用許諾の承認通知を送る。この承認通知を受けて、ＩＰｖ６対応端末機器１のグローバルＩＰアドレスが決定する。
【００５４】
［端末と管理サーバ間の自動リプレス処理のフロー図］
図１０は、ＩＰｖ６対応端末機器１（リプレス端末）ＢＢと端末サービス管理サーバ７における自動リプレスコンフィグレーション処理のフロー図である。
【００５５】
ＩＰｖ６対応端末機器１ＢＢの入力手段（外部入力装置）２２６から先に販売店で獲得したリプレス要求ＩＤを入力する。Ｓ１００において、リプレス要求ＩＤをＩＰｖ６パケットのベイロード部にセットし、Ｓ１０１で、リプレス要求のパケットを端末サービス管理サーバ７に送信する。
【００５６】
Ｓ１０２にて、リプレス要求パケットを受信した端末サービス管理サーバ７は、ベイロード部からリプレスＩＤを抽出し、これを承認する。Ｓ１０３において、受信したＩＰｖ６パケットの送信元アドレスからＩＰｖ６対応端末機器１（リプレス端末）ＢＢのホストアドレスを獲得し、Ｓ１０４にて、リプレス対象のホストアドレスであるか判断する。この判断には、顧客別端末サービスＤＢ１４に登録されたリプレスホストアドレス部２１０を用いる。リプレス対象外の場合、エラーメッセージを送信し、ＩＰｖ６対応端末機器１（リプレス端末）はＳ１０５で、デバイスエラーを表示して、リプレス要求処理を終了する。
【００５７】
Ｓ１０４にて、リプレス対象と判断した場合、端末サービス管理サーバ７は、Ｓ１０６で、リプレス要求の送信元アドレスのネットワークアドレスを抽出し、リプレス対象のネットワーク（ＬＡＮ２９）からのアクセスであるかどうか確認する。この確認には、顧客別端末サービスＤＢ１４に登録されたネットワークアドレス部２０３を用いる。このネットワークアドレス部２０３は、カレント端末１ＢＡの販売時に、販売管理サイト１６から顧客別端末サービスＤＢ１４に登録される。このＳ１０６の確認には、ネットワークアドレス／４８までの一致確認を行い、リプレス対象外の場合、エラーメッセージを送信し、ＩＰｖ６対応端末機器１（リプレス端末）ＢＢはＳ１０５で、デバイスエラーを表示して、リプレス要求処理を終了する。
【００５８】
Ｓ１０６にて、リプレス対象のネットワーク（ＬＡＮ２９）からのアクセスと判断した場合、Ｓ１０６でカレント端末機器１ＢＡ（ＩＰｖ６対応端末機器１ＢＢ（リプレス端末）購入前に使用していた機器）のグローバルＩＰアドレスを顧客別端末サービスデータベース１４から獲得する。端末サービス管理サーバ７は、Ｓ１０８にカレント端末機器１ＢＡがユーザ先ネットワーク（ＬＡＮ２９）から外れている事を確認する為、ＩＣＭＰエコー（カレント端末機器１ＢＡが存在することを確認するための所定のコマンド）をカレント端末機器の送信する。このＩＣＭＰエコーの送信先アドレスは、ネットワークアドレス部２０３及びカレントホストアドレス部２０２から生成する。Ｓ１０９にて、ＩＣＭＰエコーに対するカレント端末機器１ＢＡの応答を判断し、リプライがなかった場合（応答がなかった場合）、まだ、カレント端末機器１ＢＡがネットワーク（ＬＡＮ２９）に接続されており稼動中であるという事で、リプレスジョブを中止する。リプレス中止の場合、エラーメッセージを送信し、ＩＰｖ６対応端末機器１ＢＢ（リプレス端末）はＳ１０５で、デバイスエラーを表示して、リプレス要求処理を終了する。
【００５９】
Ｓ１０９にて、カレント端末機器１ＢＡが、ネットワークに接続されていないと判断した時、リプレスジョブは実行される。Ｓ１１０において、端末サービス管理サーバ７は、リプレス準備要求を、ＩＰｖ６対応端末機器１ＢＢ（リプレス端末）に送信し、Ｓ１１１にてＩＰｖ６対応端末機器１ＢＢ（リプレス端末）は、Ｓ１１１でリプレス実行の為の設定を行い、端末サービス管理サーバ７にリプレス実行を要求する。
【００６０】
これを受けた端末サービス管理サーバ７は、Ｓ１１２において、顧客別端末サービスデータベース１４より、リプレス情報を獲得し、Ｓ１１３にて、リプレスをスタートし、ＩＰｖ６対応端末機器１ＢＢ（リプレス端末）のパラメータ設定、バックアップデータの顧客別端末サービスＤＢ１４からリプレス端末１ＢＢへのダウンロードを実行する。このパラメータ設定、バックアップデータは、販売管理サイト１６から顧客別端末サービスＤＢ１４に登録されている。一方、Ｓ１１４でＩＰｖ６対応端末機器１ＢＢ（リプレス端末）はリプレス情報からの端末のコンフィグレーションをスタートする。
【００６１】
ＩＰｖ６対応端末機器１が、ＩＰｖ６対応複合機である場合には、リプレス実行を端末サービス管理サーバ７は、Ｓ１１２において、ユーザカラー設定のリプレス処理を行うユーザカラー設定プログラムを起動する。ユーザカラー設定プログラムは、リプレス端末１ＢＢとカレント端末１ＢＡ間の印刷エンジンのカラー印刷能力の機差から計算したユーザカラー設定値を、算出する。ユーザカラー設定プログラムについては、後述する。Ｓ１１３にて、リプレスをスタートし、算出されたユーザカラー設定値をＩＰｖ６対応複合機１ＢＢ（リプレス端末）のプリント画像処理部のプロファイルテーブルにダウンロードし、ＩＰｖ６対応複合機１ＢＢは、カレント端末１ＢＡと同じグレードの印刷を可能としたカラープロファイルを、Ｓ１１４で生成する。
【００６２】
コンフィグレーションが全て終了したら、ＩＰｖ６対応端末機器１ＢＢは、Ｓ１１６において、リプレス終了通知を端末サービス管理サーバ７に送る。これを受けた端末サービス管理サーバ７は、Ｓ１１７において、顧客別端末サービスデータベース１４のリプレスホストアドレス部２１０（ＩＰｖ６対応端末機器１ＢＢ（リプレス端末）のホストアドレス部）をカレントホストアドレス部２０１（カレント端末機器）に代入し、Ｓ１１８において、リプレスホストアドレス部２１０をリセットする。以後、ＩＰｖ６対応端末機器１ＢＢ（リプレス端末）がカレント端末機器となる。
【００６３】
以上のように、図１０は、第一の装置（カレント端末機器１ＢＡ）のネットワークアドレスと第二の装置（リプレス端末機器１ＢＢ）のネットワークアドレスを比較し（Ｓ１０６）、所定の一致が検出されたことを条件に、第一の装置の設定情報を用いて、第二の装置を設定する（Ｓ１１３）設定方法を示す。
【００６４】
この設定方法では、第二の装置（リプレス端末１ＢＢ）が、所定のホストアドレスを有すること（Ｓ１０４）、及び、第一の装置（カレント端末１ＢＡ）がネットワーク（ＬＡＮ２９）に接続されていないこと（Ｓ１０９）を確認する。
【００６５】
第一、及び、第二の装置（カレント端末機器１ＢＡ、リプレス端末機器１ＢＢ）が、デジタル複合機（印刷機能を有する装置）である場合、第一の装置（カレント端末機器１ＢＡ）の印刷補正情報を用いて、第二の装置（リプレス端末機器１ＢＢ）を設定する。
【００６６】
また、端末サービス管理サーバ７は、第一の装置（カレント端末機器１ＢＡ）のネットワークアドレスと第二の装置（リプレス端末機器１ＢＢ）のネットワークアドレスを比較する比較手段（ＣＰＵ３０２）と、所定の一致が検出されたことを条件に、第一の装置の設定情報を用いて、第二の装置を設定する設定手段（ＨＤＤ３１２）とを有する設定装置である。
【００６７】
［デジタル複合機の構成］
ＩＰｖ６対応端末機器１が、ＩＰｖ６対応複合機である形態では、機器１は、以下のような構成を有する。すなわち、機器１は、画像入力デバイスであるスキャナや画像出力デバイスであるプリンタと接続し、一方ではＬＡＮ２９と接続することで、画像情報やデバイス情報の入出力を行う。機器１は、スキャナからの入力画像データに対して、スキャナ画像処理部で、補正、加工、編集を行うとともに、プリンタに出力するプリント出力画像データに対して、プリンタ画像処理部で、補正、解像度変換等の画像処理を行う。ＲＡＭ２１７は、プリント画像処理部が、プリント出力画像データに対して画像処理を行うためのカラー補正テーブル、ユーザカラー設定値を記憶している。カラー補正テーブルは、プリンタの特定のばらつきを補正するためのデータを記憶したテーブルであり、ユーザカラー設定値は、ユーザの好みの色で画像をプリントするための設定値である。
【００６８】
［ユーザカラー補正プログラム］
図１１は、ＩＰｖ６対応端末機器１が、ＩＰｖ６対応複合機である場合におけるユーザカラー補正プログラム処理を示す図面である。Ｓ１１２Ａにおいて、顧客別端末サービスＤＢ１４からカレント端末１ＢＡのユーザカラー設定値をロードし、Ｓ１１２Ｂにおいて、顧客別端末サービスＤＢ１４からカレント端末１ＢＡの印刷エンジンのばらつきを補正するカラー補正テーブルをロードし、Ｓ１１２Ｃにおいて、顧客別端末サービスＤＢ１４からＩＰｖ６対応複合機１ＢＢ（リプレス端末）の印刷エンジンのばらつきを補正するカラー補正テーブルをロードする。そして、Ｓ１１２Ｄにおいて、カレント端末１ＢＡのカラー補正テーブル及びリプレス端末１ＢＢから、カレント機１ＢＡーリプレス機１ＢＢ間のカラー補正テーブルの機差を計算し、カラー補正テーブルの機差及びカレント端末１ＢＡのカラー設定値から、Ｓ１１２Ｅにて、リプレス端末１ＢＢのユーザカラー補正値を算出し、Ｓ１１２ｆでＩＰｖ６対応複合機１ＢＢ（リプレス端末）のユーザカラー設定値を決定する。
【図面の簡単な説明】
【００６９】
【図１】本発明の実施形態におけるシステム構成図である。
【図２】端末管理サーバの構成図である。
【図３】ＩＰｖ６対応端末機器の構成図である。
【図４】端末製造工場サイトから端末サービス管理サイトへのホストアドレス部登録プロトコル図である。
【図５】端末機器属性テーブルの構成図である。
【図６】販売管理サーバから端末サービス管理サイトへの顧客別端末サービス登録プロトコル図である。
【図７】顧客別端末販売実績テーブル図である。
【図８】顧客別端末サービス属性テーブル図である。
【図９】販売管理サイトからのリプレス時の顧客別サービス情報登録プロトコル図である。
【図１０】端末−サーバ間のリプレス処理のフロー図である。
【図１１】ユーザカラー補正プログラムのフロー図である。
【符号の説明】
【００７０】
６  端末サービス提供サイト（ＩＳＰ）
７  端末サービス管理サーバ
１６  販売管理サイト
２６  ルータ
２９  ＬＡＮ
３４  ルータ
３６  端末販売管理サーバ
【図１】
2005107660.tif 000003
【図２】
2005107660.tif 000004
【図３】
2005107660.tif 000005
【図４】
2005107660.tif 000006
【図５】
2005107660.tif 000007
【図６】
2005107660.tif 000008
【図７】
2005107660.tif 000009
【図８】
2005107660.tif 000010
【図９】
2005107660.tif 000011
【図１０】
2005107660.tif 000012
【図１１】
2005107660.tif 000013